(57)【要約】【課題】  本発明は、シンプルな構造で、誰でも簡単にパネルに取り付け又は取り外しができるデジタル調節計の取付装置を提供することを目的とする。【解決手段】  本発明のデジタル調節計の取付装置は、プラスチック製の角筒形をなしており、幅広の上面部及び下面部と、幅狭の左側面部及び右側面部を有し、前面には長方形の保持枠７が一体に形成されている機器本体３において、機器本体３の上面部には前記保持枠７からパネル１厚み分離れた位置に、パネル１側が自由端となって上方に突出する弾性止片を前記機器本体３と一体に設け、前記機器本体３の下面部には上面部と同様に前記保持枠７からパネル１厚み分離れた位置に、パネル１側が自由端となって下方に突出する弾性止片を前記機器本体３と一体に設け、前記弾性止片によって機器本体３をパネル１に密着支持させたものである。【選択図】  図１
2005135963.tif 000002
【特許請求の範囲】
【請求項１】
プラスチック製の角筒形をなしており、幅広の上面部及び下面部と、幅狭の左側面部及び右側面部を有し、前面には長方形の保持枠が一体に形成されている機器本体において、機器本体の上面部には前記保持枠からパネル厚み分離れた位置に、パネル側が自由端となって上方に突出する弾性止片を前記機器本体と一体に設け、前記機器本体の下面部には上面部と同様に前記保持枠からパネル厚み分離れた位置に、パネル側が自由端となって下方に突出する弾性止片を前記機器本体と一体に設け、前記弾性止片によって機器本体をパネルに密着支持させたことを特徴とするデジタル調節計の取付装置。
【請求項２】
前記弾性止片は、機器本体の上面部に形成された逆コの字状の貫通状溝部に囲まれ、パネル側が自由端となって反対側が機器本体と一体になっており、弾性止片のパネル側にはパネルに向き合う係合段部を備えた突部が形成され、該突部に続く逆コの字状の内側には凹状円弧面を備える湾曲部が形成されたことを特徴とする請求項１記載のデジタル調節計の取付装置。
【発明の詳細な説明】
【技術分野】
【０００１】
本発明は、産業機械（半導体製造装置等）、炉（電気炉、焼却炉等）、食品機械（パン焼機、冷蔵庫等）等の温度管理に使用するデジタル調節計の取付装置に関する。
【背景技術】
【０００２】
従来、制御機器のパネル取付構造として、別部材の取付部材を備えるものと、制御機器のケース自体にフィクスチャー（固定機構）が組み込まれたケース一体構造のものとがある。
前者は、パネルに形成された取付孔部に機器本体を挿入した状態で、フィクスチャーの溝嵌合片部を嵌合用溝部に嵌合挿入して、このフィクスチャーを機器本体に取り付け、パネル押さえ手段でパネルに押し付けてパネル受け部にパネルを押し付け、機器本体をパネルに対して取り付ける制御機器のパネル取付構造が公知（特許文献１参照）となっている。
後者は、制御盤等を構成する操作パネルの取付窓部内に端末機器の本体部分を装着すると共に上記端末機器の前面パネルを上記取付窓部の外方に露出して取り付ける取付構造において、上記本体部分を構成するハウジングの外周の一部に固着されると共に上記前面パネル側を自由端とする山形状の板ばねと、上記板ばねの自由端と上記前面パネルとの間に介在される弾性部材と、を具備する端末機器の取付装置が公知（特許文献２参照）となっている。
しかし、前者の場合は、別体となっているフィクスチャー（固定機構）を機器本体に取り付けなければならないため、部品点数が増すと共に取り付けが面倒であった。
また、後者の場合は、端末機器の本体部分に板ばねが一体に取り付けられているが、端末機器の本体部分を取付窓部から取り外すことを考慮した構造となっていなかった。
【特許文献１】特開２０００−１７４４４６号公報
【特許文献２】特開平５−３０２６１０号公報
【発明の開示】
【発明が解決しようとする課題】
【０００３】
そこで、本発明は、シンプルな構造で、誰でも簡単にパネルに取り付け又は取り外しができるデジタル調節計の取付装置を提供することを目的とする。
【課題を解決するための手段】
【０００４】
そのために、本発明のデジタル調節計の取付装置は、プラスチック製の角筒形をなしており、幅広の上面部及び下面部と、幅狭の左側面部及び右側面部を有し、前面には長方形の保持枠が一体に形成されている機器本体において、機器本体の上面部には前記保持枠からパネル厚み分離れた位置に、パネル側が自由端となって上方に突出する弾性止片を前記機器本体と一体に設け、前記機器本体の下面部には上面部と同様に前記保持枠からパネル厚み分離れた位置に、パネル側が自由端となって下方に突出する弾性止片を前記機器本体と一体に設け、前記弾性止片によって機器本体をパネルに密着支持させたものである。
また、前記弾性止片は、機器本体の上面部に形成された逆コの字状の貫通状溝部に囲まれ、パネル側が自由端となって反対側が機器本体と一体になっており、弾性止片のパネル側にはパネルに向き合う係合段部を備えた突部が形成され、該突部に続く逆コの字状の内側には凹状円弧面を備える湾曲部が形成されたものである。
【発明の効果】
【０００５】
本発明のデジタル調節計の取付装置は、機器本体をパネルの取付孔部に填め込むだけで簡単に取り付けることができ、単装横並び、単装縦並び、単装縦横並び等であってもパネルに密着計装することができる。
また、機器本体を取り外す際には、機器本体に取外し治具を外嵌挿入することにより簡単に機器本体をパネルの取付孔部から抜き出すことができる。
【発明を実施するための最良の形態】
【０００６】
以下、本発明の実施例を添付図面に基づいて説明する。
図１のデジタル調節計をパネルに取り付けた状態の斜視図に示すように、制御機器パネル１の取付孔部（図示せず）に嵌合されたデジタル調節計２の機器本体３内部には、電子部品を実装したプリント基板等が収納されている。
前記機器本体３は、プラスチック製の角筒形をなしており、幅広の上面部４及び下面部５と、幅狭の左側面部６及び右側面部６を有している。
また、前記機器本体３の前面には、機器本体３より一回り大きいデジタル調節計２が嵌合される長方形の保持枠７が機器本体３と一体に形成される。
【０００７】
図２の平面図に示すように、機器本体３の上面部４には前記保持枠７からパネル厚み分離れた位置で手前と奥の離れた２個所に、パネル側（図面上左側）が自由端となって上方に突出する弾性止片８を前記機器本体３と一体に設け、上面部４残部には空気流通用の抜き穴９を多数個形成する。
また、図３の底面図に示すように、前記上面部４と同様に、機器本体３の下面部５には前記保持枠７からパネル厚み分離れた位置で手前と奥の離れた２個所に、パネル側が自由端となって下方に突出する弾性止片８を前記機器本体３と一体に設け、下面部５残部には空気流通用の抜き穴９を多数個形成する。
【０００８】
図４の正面図に示すように、機器本体３の右側面部６には、前記弾性止片８とほぼ同位置に、機器本体３を連装する際に使用する取付部材を嵌合する取付穴１０を形成し、右側面部６残部には空気流通用の抜き穴９を多数個形成する。
また、背面図の左側面部６は図示していないが、機器本体３の左側面部６も右側面部６と同様な同位置に取付穴１０及び抜き穴９がそれぞれ形成されてる。
図４に示す上面部４及び下面部５に設けられた弾性止片８は、前記保持枠７からパネル厚み分離れた位置で、パネル側が自由端となって上方又は下方に突出するように形成されている。
図５の左側面図に示すように、前記保持枠７の上方及び下方に突出する弾性止片８がそれぞれ２個設けられており、下方の弾性止片８が周辺縁寄りに離れて形成されて上方の弾性止片８と下方の弾性止片８とが同一延長線上に重ならないように形成されている。
【０００９】
以下に、詳細に弾性止片８を図面に基づいて説明する。
図２の平面図に示すように、弾性止片８は機器本体３の上面部４に形成された逆コの字状の貫通状溝部１１に囲まれ、パネル側（図面上左側）が自由端となって反対側が機器本体３と一体になっている。
なお、弾性止片８のパネル側（図面上左側）にはパネル１に向き合う係合段部１２を備えた突部１３が形成され、該突部１３に続く逆コの字状の内側には凹状円弧面１４を備える湾曲部１５が２個並列に形成される。
すなわち、図６のA-A矢視拡大断面図に示すように、弾性止片８はパネル側（図面上左側）にパネル１と押圧係合する階段状の係合段部１２を備えた突部１３と、該突部１３の先端から機器本体３へ凹状円弧面１４を一体形成した２個並列の湾曲部１５とからなる。
なお、前記湾曲部１５間の中央部は上面部４と同一の平坦面１６で湾曲部１５から分離された構造となっている。
【００１０】
次に、前記弾性止片８を備えた機器本体３を制御機器パネル１の取付孔部に取り付ける場合について説明する。
図７(a)に示すように、制御機器パネル１の前面側（図面上左側）から機器本体３をパネル１の取付孔部（図示されているパネル１の下端が取付孔部の上部となる）に挿入する。
なお、制御機器パネル１の取付孔部は１つに限らず、単装横並び、単装縦並び、単装縦横並び等の多数個の取付孔部を形成することができる。
徐々に機器本体３を挿入すると、パネル１の取付孔部縁が弾性止片８の凹状円弧面１４に接触し、さらに円弧面１４を下方に押し込みながら挿入して行くと、湾曲部１５は機器本体３に一体に形成されている部分を支点にして下方に円弧を描きながら撓む。
【００１１】
そして、図７(b)に示すように、円弧面１４の頂点である突部１３を下方に押し込みながら、機器本体３がパネル１の取付孔部を通過する。
この時、前記湾曲部１５は下方に最大に撓む。
なお、図面では１つだけ例示しているが、上面部４及び下面部５の２つの弾性止片８は同様な動作が同時に行われる。
【００１２】
さらに機器本体３を押し込むとパネル１の取付孔部が湾曲部１５を乗り越え、突部１３の頂部を外れた時点で係合段部１２に係合し、段々に係合段部１２に係合しながら突部１３が上方に復帰し、弾性止片８が弾性力により戻ろうとする。
この時、図７(c)に示すように、弾性止片８の弾性力により保持枠７をパネル１に押し付け、すなわち保持枠７と弾性止片８とによりパネル１を弾圧挟持する状態になり、機器本体３を確実に取付孔部に密着支持させることができる。
したがって、単装横並び、単装縦並び、単装縦横並び等であってもパネルに密着計装することができる。
【００１３】
次に、弾性止片８を備えた機器本体３を制御機器パネル１の取付孔部から取り外す場合について説明する。
図１に示すように、制御機器パネル１の内側から機器本体３に外嵌する取外し治具１７を挿入し、矢印で示すようにパネル側（図面上左側）に滑動させる。
なお、前記取外し治具１７は、機器本体３に外嵌する角筒状をなし、下面中央を開放させた剛性材料からなる。
取外し治具１７を滑動させると、取外し治具１７は弾性止片８の凹状円弧面１４に接触し、パネル１に機器本体３を押し込んだ時と同様に弾性止片８が下方に円弧状に撓み、さらに押し込んでパネル１に取外し治具１７の先端を接触させた状態では図７(b)で示す状態まで弾性止片８が撓む。
したがって、この状態で、制御機器パネル１の外側から保持枠７を掴みながら機器本体３を引き抜くと、取外し治具１７に案内されながら機器本体３が簡単に取り外される。
【図面の簡単な説明】
【００１４】
【図１】本発明のデジタル調節計をパネルに取り付けた状態の斜視図である。
【図２】本発明の取付装置の平面図である。
【図３】本発明の取付装置の底面図である。
【図４】本発明の取付装置の正面図である。
【図５】本発明の取付装置の側面部図である。
【図６】図２のA-A矢視拡大断面図である。
【図７】本発明の取付方法を示す断面図である。
【符号の説明】
【００１５】
１  パネル
２  デジタル調節計
３  機器本体
４  上面部
５  下面部
６  側面部
７  保持枠
８  弾性止片
９  抜き穴
１０  取付穴
１１  溝部
１２  係合段部
１３  突部
１４  円弧面
１５  湾曲部
１６  平坦面
１７  取付け治具
【図１】
2005135963.tif 000003
【図２】
2005135963.tif 000004
【図３】
2005135963.tif 000005
【図４】
2005135963.tif 000006
【図５】
2005135963.tif 000007
【図６】
2005135963.tif 000008
【図７】
2005135963.tif 000009